(57)【要約】      （修正有）【課題】小型モーターの小出力を大出力に変換して発電する家庭用発電機を提供する。【解決手段】軸受け台３の中央上部を回転自在な主軸４が貫通し、一方は発電機２に繋がっている。軸受け板３４ａには太陽スプロケット９が固着され、主軸に一端を固着した回転アーム８が回転自在なスプロケット１４ａ、１４ｂと歯車１６ａ、１６ｂを介して先端で回転自在に支持する遊星スプロケット１０へ係合し、遊星スプロケット軸１１には入力重り１２が固着される。軸受け板３４ｂには太陽歯車２１が固着され、主軸に一端を回転アームと反対方向に固着した補助アーム２４の他端には、回転自在に支持された遊星歯車２２が太陽歯車と噛み合い周回し、遊星歯車軸２３には補助重り２６、２７が固着される。主軸が１回転すると入力重りと補助重りは公転しながら１自転し、主軸を回転させる小型モーター７の出力を大きな回転出力に変換する。【選択図】図１
0003200446.tif 000002
【実用新案登録請求の範囲】
【請求項１】
据え付け基台に据え付けられた軸受け板Ａと軸受け板Ｂの間に補強材を入れ組み立てた軸受け台の上端近辺を主軸が回転自在に貫通し軸受け板Ａを抜けた主軸は発電機へと繋がり、軸受け板Ａには主軸と同心状に太陽スプロケットを固着し、主軸と一端を固着した回転アームは中央で中間スプロケット、中間歯車を回転自在に支持し他端に太陽スプロケットへ係合する遊星スプロケットを回転自在に支持し、遊星スプロケットと一体回転する遊星スプロケット軸の先端には四角柱で長針部と短針部の長さの比が２：１で約９０°に構成された入力重りが回転アーム最高位置では直角部を右にし長針部を下にして固着し、次に軸受け板Ｂには主軸と同心上に太陽歯車を固着し、其の太陽歯車を貫通した主軸の先端で補助アームは一端を回転アームと反対方向１８０°に約１５°進めた位置で固着し、他端に太陽歯車と噛み合う遊星歯車を回転自在に支持し、遊星歯車と一体回転する遊星歯車軸の先端には補助重り固定台の一端を垂直に固着し、これにより主軸が１回転する間に遊星スプロケットと遊星歯車は主軸と同方向に１回の自転をし、軸受け台上端中央付近の主軸に固着した伝動部材は軸受け台中央のモーター軸に固着した伝動部材によって伝達されることを特徴とする家庭用発電装置。
【請求項２】
補助重りは四角柱で補助重りＡと補助重りＢの長さの比を２：１とし其の長さを合わせた全長の中央部付近に遊星歯車軸が位置する様前記補助重り固定台によって垂直に固定された補助重りＡの上端に補助重りＢの一端を回転自在に支持し、補助重りＡの左側面に取り付けた弱い板バネで補助重りＢを支え、板バネの背面側に取り付けたストッパーＡとストッパーＢによって補助重りＡと補助重りＢの角度を鈍角に決め、この補助重り全体の重さは回転アームが最低位置から最高位置まで軽く上昇させるのに必要な重さであることを特徴とする請求項１記載の家庭用発電装置。
【考案の詳細な説明】
【技術分野】
【０００１】  本考案は家庭用発電装置に関するものである。
【背景技術】
【０００２】  従来モーターの回転出力を大きくするには歯車等により減速させる為回転数と出力は反比例し出力だけを大きくすることはできなかった。
【考案の概要】
【考案が解決しようとする課題】
【０００３】  電力消費量の少ない小型モーターで発電し蓄電池に充電すれば安全で燃料の必要としない新エネルギーとなる。モーターの回転は高速のまま小出力から大出力に変換させる回転装置として提供することを目的とする。
【課題を解決するための手段】
【０００４】  据え付け基台に据え付けられた軸受け板Ａと軸受け板Ｂの間に補強材を入れ組み立てた軸受け台の上端近辺を主軸が回転自在に貫通し、軸受け板Ａを抜けた主軸は発電機へと繋がる。軸受板Ａの上端には主軸と同心状に太陽スプロケットが固着され、軸受け板Ｂの上端には主軸と同心状に太陽歯車が固着され、軸受け台上端中央付近の主軸には傘歯車Ａが固着され軸受け台中央に設置されたモーター軸に固着した傘歯車Ｂと噛み合いモーターからの出力を主軸に伝達している。【０００５】  前記太陽スプロケットと係合する位置に主軸と直角に回転アームの一端が固着され、中間に設けた回転自在な中間スプロケットと中間歯車を経由し回転アーム先端で回転自在に支持された遊星スプロケットへ係合され、其の遊星スプロケットと一体である遊星スプロケット軸の先端には入力重りを固着する。【０００６】  入力重りは四角柱で長針部と短針部の長さの比が２：１で約９０°に構成され、回転アームが最高位置では直角部を右側にして長針部を下にして遊星スプロケット軸に固着する。【０００７】  前記太陽歯車側に貫通した主軸の先端には補助アームが一端を主軸と直角で回転アームと反対方向１８０°に約１５°進んだ位置で固着し、他端には太陽歯車と噛み合い自転し公転する遊星歯車を回転自在に支持し、其の遊星歯車と一体の遊星歯車軸の先端には補助重り固定台の一端を垂直に固着する。【０００８】  補助重りは四角柱で補助重りＡと補助重りＢの長さの比を２：１とし其の長さを合わせた全長の中央部付近に遊星歯車軸が位置するように補助重り固定台によって垂直に固定された補助重りＡの上端には補助重りＢの一端を回転自在に支持し、補助重りＡの左側面に取り付けた弱い板バネで補助重りＢを支え、板バネの背面側に設けたストッパーＡとストッパーＢによって補助重りＡと補助重りＢの角度を鈍角に決める。補助重り全体の重さも回転アームが最低位置から最高位置に軽く回転する為に必要な重さとする。
【考案の効果】
【０００９】  回転数は減速せず大きな出力を生じ、モーターの出力に比例して主軸の出力は大きくなり、大きな装置ではなく家庭用として使うのに便利である。
この装置により発電し、蓄電池に充電し、この電気により家庭内の照明等に使用される家庭用発電装置となり安全で燃料の必要としない新エネルギーとなる。
【考案を実施するための形態】
【００１０】  以下、本考案の実施の形態について説明する。
図１より軸受け台（３）の軸受けを主軸（４）が貫通し発電機（２）へ接続し、軸受け板Ａ（３４ｂ）の上端には太陽スプロケット（９）が軸受け板Ｂ（３４ｂ）の上端には太陽歯車（２１）がそれぞれ主軸と同心状に固着され、主軸中央部には傘歯車Ａ（５）が固着され小型モーター（７）軸に固着された傘歯車Ｂ（６）と噛み合いモーターからの出力を主軸に伝達している。
【００１１】  前記太陽スプロケット（９）と係合する位置で回転アーム（８）の一端と主軸（４）は直角に固着され、太陽スプロケット（９）→  回転自在な中間スプロケットＡ（１４ａ）と一体の中間歯車Ａ（１６ａ）→  回転自在な中間歯車Ｂ（１６ｂ）と一体の中間スプロケットＢ（１４ｂ）→  回転自在な遊星スプロケット（１０）へと係合し、回転アームが１回転すると遊星スプロケットは回転アームと同方向に１回の自転をし、其の遊星スプロケットと一体である遊星スプロケット軸（１１）の先端には図２より四角柱で長針部と短針部の長さの比が２：１で約９０°に構成された入力重り（１２）が回転アーム最高位置（イ）では直角部を右にし長針部を下にして固着する。
【００１２】  図３より前記太陽歯車（２１）側に貫通した主軸（４）の先端には補助アーム（２４）が一端を主軸と直角で回転アーム（８）と反対方向１８０°に約１５°進んだ位置で固着し、他端には太陽歯車と噛み合い自転し公転する遊星歯車（２２）を回転自在に支持し、補助アームが１回転すると遊星歯車は補助アームと同方向に１回の自転をする。其の遊星歯車と一体の遊星歯車軸（２３）の先端には補助重り固定台（２５）の一端を垂直に固着する。
【００１３】  図３より補助重りは四角柱で補助重りＡ（２６）と補助重りＢ（２７）の長さの比を２：１とし其の長さを合わせた全長の中央部付近に遊星歯車軸（２３）が位置する様補助重り固定台（２５）によって垂直に固定された補助重りＡ（２６）の上端には補助重りＢ（２７）の一端を回転自在に支持し、補助重りＡの左側面に取り付けた弱い板バネ（３０）で補助重りＢを軽く支え板バネの背面側に設けたストッパーＡ（２８）とストッパーＢ（２９）によって補助重りＡと補助重りＢの角度を１２０°〜１２５°に決める。又補助重り全体の重さも図２より回転アーム（８）が最低位置（ロ）から最高位置（イ）に軽く回転する為に必要な重さとする。
【００１４】  以上の中で伝動部材の歯数の条件は
太陽スプロケット（９）        ＝遊星スプロケット（１０）
太陽歯車（２１）              ＝遊星歯車（２２）
中間スプロケットＡ（１４ａ）  ＝中間スプロケットＢ（１４ｂ）
中間歯車Ａ（１６ａ）          ＝中間歯車Ｂ（１６ｂ）
これにより回転アーム（８）が１回転する間に遊星スプロケット（１０）は１回の自転をし、補助アーム（２４）が１回転する間に遊星歯車（２２）は１回の自転をする。
【００１５】  図１で示す様に回転アーム（８）と補助アーム（２４）は主軸（４）を中心に自転車のクランク状に構成されている。図２で示した回転アームは最高位置（イ）から反時計回りに回転を始めると先端にある入力重り（１２）が反時計回りに自転し遊星スプロケット旋回円（１８）の外側に位置を変え大きな力で落下し、次に最低位置（ロ）から入力重りは遊星スプロケット旋回円の内側に位置を変え太陽スプロケット（９）に支えられ上昇する。この入力重りはブーメランの形状をし回転アームが落下する最低位置（ロ）では慣性エネルギーが生まれ回転速度が速い程主軸（４）には大きな出力が生じる。
【００１６】  他方回転アームの反対側に設けられている補助アーム（２４）は図４で示す様に時計回りとなり回転アーム（８）が落下する時補助重りは遊星歯車旋回円（３３）の内側に位置し太陽歯車（２１）に支えられ回転アームへの負荷を小さくする。次に回転アームが上昇する時補助重りは遊星歯車旋回円の外側に位置を変え其の補助重りの落下する力によって回転アームは軽く上昇する。図３で補助アームは回転アームに対し１８０°に約１５°進むことによって回転アームはより強く落下し、より軽く上昇し、落下から上昇へと滑らかに回転する。
【００１７】  図３で垂直に固定された補助重りＡ（２６）は左側面に弱い板バネ（３０）を取り付け補助重りＢ（２７）を軽く支え、背面側のストッパーＡ（２８）とストッパーＢ（２９）は最も弱い力で接する状態となり時計回りに自転すると補助重りＢの重さはストッパーＡに作用し補助重りはより楽に自転しやすくなる。この板バネが強いと補助重りＡと補助重りＢは固着状態になり補助重りＢの重さが反時計方向に作用するからである。其の補助重りＡと補助重りＢの取り付け角度は１２０°〜１２５°に決めれば主軸には大きな回転出力が生じる。以上の装置の中で使用する材料については回転アーム（８）、補助アーム（２４）、補助重り固定台（２５）は比重が軽く強い材質を、又入力重り（１２）、補助重りＡ・Ｂ（２６）（２７）は比重が重い鉄等を使うと良い。
【図面の簡単な説明】
【００１８】
【図１】本考案の装置全体の断面図。
【図２】本考案の実施例で回転アーム及び入力重りの回転軌跡を示した説明図。
【図３】本考案の実施例で回転アームが最高位置の時の補助重り説明図。
【図４】本考案の実施例で補助重りの回転軌跡の径を大きく示した説明図。
【符号の説明】
【００１９】  １    据え付け基台                      １７    チェーン
２    発電機                            １８    遊星スプロケット旋回円
３    軸受け台                          ２１    太陽歯車
４    主軸                              ２２    遊星歯車
５    傘歯車Ａ                          ２３    遊星歯車軸
６    傘歯車Ｂ                          ２４    補助アーム
７    小型モーター                      ２５    補助重り固定台
８    回転アーム                        ２６    補助重りＡ
９    太陽スプロケット                  ２７    補助重りＢ
１０    遊星スプロケット                  ２８    ストッパーＡ
１１    遊星スプロケット軸                ２９    ストッパーＢ
１２    入力重り                          ３０    板バネ
１３    ベアリング                        ３１    板バネ取り付け金具
１４ａ  中間スプロケットＡ                ３２    板バネ抑え板
１４ｂ  中間スプロケットＢ                ３３    遊星歯車旋回円
１５ａ  中間軸Ａ                          ３４ａ  軸受け板Ａ
１５ｂ  中間軸Ｂ                          ３４ｂ  軸受け板Ｂ
１６ａ  中間歯車Ａ                        ３５    補強材
１６ｂ  中間歯車Ｂ
【図１】
0003200446.tif 000003
【図２】
0003200446.tif 000004
【図３】
0003200446.tif 000005
【図４】
0003200446.tif 000006